(57)【要約】【課題】  ホットウォーマー保存中に口端部の上端がクリープ現象を起こし、そのため口端部のアウターリングへの密着性が低下することを防止したホットウォーマー保存用合成樹脂製壜体の口端部及びホットウォーマー保存中に口端部の上端がクリープ現象を起こし、そのため口端部のアウターリングへの密着性が低下することを防止したホットウォーマー保存用合成樹脂製壜体成形用プリフォームを提供する。【解決手段】  ホットウォーマー保存用合成樹脂製壜体の口端部は、筒壁とその外周に設けられた螺子山を備える。筒壁は、キャップのアウターリングに押しつけられる筒壁上端外周面を他の筒壁外周面よりも半径方向に突出させた構造を有し、全体が熱結晶化により白化せしめられている。【選択図】  図１
2005088954.tif 000002
【特許請求の範囲】
【請求項１】
ホットウォーマー保存用合成樹脂製壜体の口端部であって、筒壁とその外周に設けられた螺子山を備え、筒壁は、キャップのアウターリングに押しつけられる筒壁上端外周面を他の筒壁外周面よりも半径方向に突出させた構造を有し、全体を熱結晶化により白化させたことを特徴とするホットウォーマー保存用合成樹脂製壜体の口端部。
【請求項２】
口端部の天面は外周側に対して内周側が低い段差構造を備えることを特徴とする請求項１に記載のホットウォーマー保存用合成樹脂製壜体の口端部。
【請求項３】
口端部の内周面にインナーリングによりシールされるシール面付近に口端部の天面に向けて傾斜した傾斜部を設けたことを特徴とする請求項１又は２に記載の口端部。
【請求項４】
有底円筒形のプリフォームであって、その口部は筒壁とその外周に設けられた螺子山を含み、筒壁は、キャップのアウターリングに押しつけられる、ホットウォーマー保存用合成樹脂製壜体の口端部の筒壁上端面に対応する筒壁上端外周面を他の筒壁外周面よりも半径方向に突出させた構造を有することを特徴とするホットウォーマー保存用合成樹脂製壜体成形用プリフォーム。
【請求項５】
開放端部の天面は外周側に対して内周側が低い段差構造を備えることを特徴とする請求項４に記載のホットウォーマー保存用合成樹脂製壜体成形用プリフォーム。
【請求項６】
筒壁の内周に、ホットウォーマー保存用合成樹脂製壜体の口端部の、キャップのインナーリングによりシールされるシール面に対応する領域付近に開放端部の天面に向けて傾斜した傾斜部を設けたことを特徴とする請求項４又は５に記載のホットウォーマー保存用合成樹脂製壜体成形用プリフォーム。
【発明の詳細な説明】
【技術分野】
【０００１】
本発明は、白化した、ＰＣＯ（プラスチック・クロージャー・オンリー）の口部構造を有する、６０℃前後の温度に包装内容物を加温する、ホットウォーマー保存用合成樹脂製壜体及びホットウォーマー保存用合成樹脂製壜体成形用プリフォームに関する。
【背景技術】
【０００２】
合成樹脂製壜体、特にポリエチレンテレフタレート樹脂製２軸延伸ブロー成形壜体の、プラスチック製ピルファープルーフキャップ専用の耐熱性も兼ね備えた口端部として、炭酸飲料壜体に用いられるＰＣＯ口端部は知られている。また、アルミニウム製ピルファープルーフキャップを含めたピルファープルーフキャップ用の口端部として全体を熱結晶化により白化した耐熱用口部も知られている。更に、ＰＣＯ口端部に熱結晶化処理を施すと、熱結晶化に伴う収縮変形が不正に発生し、キャップの装着が不良になると共に、シール性が大幅に低下することを解消した口端部として、熱結晶化した耐熱用口元である耐熱用口端部の筒壁と同じ内外径寸法の筒壁を有し、該筒壁の外周に設けた連続螺子構造の螺子山構造の螺子の始端部分である螺子山延長部を、前記筒壁の上端面から距離を一定にした構成で、前記螺子山の下方に設けたビードリング及びネックリングを、プラスチック性ピルファープルーフキャップ専用口元であるＰＣＯ口端部のビードリング及びネックリングと等しい構造に成形し、全体を熱結晶化により白化させた、合成樹脂製壜体の耐熱用口端部が発明されている（特許文献１参照）。
【０００３】
また、結晶化させた口部へのキャップの係止組み付きを十分に強力に維持させ、口部に打栓したキャップが抜け出す事故の発生を確実に防止したプリフォームとして、打栓キャップで密封される口部を熱処理により白化させた壜体に２軸延伸ブロー成形される、ポリエチレンテレフタレート樹脂製一次成形品として射出成形されたプリフォームであって、前記口部の開口縁外周に突周設された係止周状の、前記打栓キャップが組み付き係止する下側の係止角縁部の下面を、前記プリフォームの中心軸心と直交する仮想される水平面に対して、外側に加工する傾斜面とした合成樹脂製壜体成形用プリフォームが発明されている（特許文献２参照）。
【特許文献１】特開２００２−５３１１７号公報
【特許文献２】実用新案登録２５７８５２３号公報  ポリエチレンテレフタレート樹脂製壜体の市場は近年急激な成長を遂げ、ホットフィル用途には耐熱性壜体を用い、無菌充填用途には一般の壜体を適用するといった既成概念から外れたものが出現している。６０℃前後の温度に包装内容物を加温する、ホットウォーマー保存用途の壜体には、前記した２つの概念の壜体が使用され始めているが、解決すべき課題があり改善が進められている現状である。
【０００４】
ホットウォーマー保存用のポリエチレンテレフタレート樹脂製壜体には、プラスチック製１ピースキャップが使用されている。このキャップは、アウターリング、コンタクトリング及びインナーリングを備え、口端部に冠着したとき、アウターリングが口端部の筒壁の外側Ｒ端部にきつく押しつけられ、それと共に筒壁の内側周面の上端部がインナーリングに押しつけられ、筒壁の天面はコンタクトリングに接触し、両リングで筒壁の先端部を挟み込んで密封性を確保するように構成されている。
【０００５】
しかしながら、アウターリングに押しつけられる筒壁の上端部は、ホットウォーマー保存中にクリープ現象が起こり、そのため筒壁が内側へ倒れ込み、筒壁のアウターリングへの密着度は低下し、同時に筒壁の内側のインナーリングへの密着面も筒部上端部の変形によって変化しインナーリングへの密着度も著しく低下する。
【０００６】
例えばポリエチレンテレフタレート製壜体（容量２８０ｍｌ）を６０℃前後の雰囲気内に２１日間保存後に口端部の天面近傍におけるキャッピング前と後の口内径の差を調べた結果では、口端部の天面近傍におけるキャッピング前と後の口内径の差は約０．１３ｍｍあり、この結果から長時間ホットウォーマー保存により口端部が内倒れし、アウターリングによるシール効果が低下することが分かる。
【０００７】
また、特許文献１に記載の口端部は、従来のＰＣＯ端部の構造を利用してＰＣＯ耐熱用口端部を得るという課題を解決したものであるが、ホットウォーマー中に口端部の上端がクリープ現象を起こし、そのため口端部のアウターリングへの密着性が低下することを解消したものではない。
【０００８】
また、特許文献２に記載のプリフォームは白化させた口部の螺子部への冠着キャップの螺子部の係止組み付きを維持させるという課題を解決したものであるが、プリフォームを用いて成形してなる壜体の口端部上端がホットウォーマー中にクリープ現象を起こし、そのため口端部のアウターリングへの密着性が低下することを解消したものではない。
【発明の開示】
【発明が解決しようとする課題】
【０００９】
本発明の課題は、ホットウォーマー保存中に口端部の上端がクリープ現象を起こし、そのため口端部のアウターリングへの密着性が低下することを防止したホットウォーマー保存用合成樹脂製壜体の口端部及びホットウォーマー保存中に口端部の上端がクリープ現象を起こし、そのため口端部のアウターリングへの密着性が低下することを防止したホットウォーマー保存用合成樹脂製壜体成形用プリフォームを提供するものである。
【課題を解決するための手段】
【００１０】
請求項１に記載の発明は、上記のホットウォーマー保存用合成樹脂製壜体の口端部に関する課題を解決するもので、ホットウォーマー保存用合成樹脂製壜体の口端部であって、筒壁とその外周に設けられた螺子山を備え、筒壁は、キャップのアウターリングに押しつけられる筒壁上端外周面を他の筒壁外周面よりも半径方向に突出させた構造を有し、全体を熱結晶化により白化させたことを特徴とするホットウォーマー保存用合成樹脂製壜体の口端部を要旨とする。
【００１１】
本発明の口端部によれば、キャップのアウターリングに押しつけられる筒壁上端外周面を他の筒壁外周面よりも半径方向に突出させた構造を備えるので、この構造部分によって強く押されて予めアウターリングとの密着度が高められており、そのため筒壁の内方への変形が起きても筒壁上端外周面によって外方へ押されていたアウターリングは前記構造部分に追随して変形し両者間の密着性は保持される。
【００１２】
また、口端部の天面は外周側に対して内周側が低い段差構造を備えることができる。この構成によって口端部の天面はコンタクトリングにより強く密着し、それによって口端部が容易に内方へ倒れることが阻止されている。
【００１３】
本発明の口端部において、口端部の内周面にインナーリングによりシールされるシール面付近に口端部の天面に向けて傾斜した傾斜部を設けることができる。この構成によって、口端部の内周面にインナーリングによりシールされるシール面付近に口端部の天面に向けて傾斜した傾斜部を設けたことにより、口端部が内方へ変形しても傾斜部がインナーリングに密着し、それによって密着面積が減少することが防止される。
【００１４】
請求項４に記載の発明は、上記のホットウォーマー保存用合成樹脂製壜体成形用プリフォームに関する課題を解決するもので、有底円筒形のプリフォームであって、その口部は筒壁とその外周に設けられた螺子山を含み、筒壁は、キャップのアウターリングに押しつけられる、ホットウォーマー保存用合成樹脂製壜体の口端部の筒壁上端面に対応する筒壁上端外周面を他の筒壁外周面よりも半径方向に突出させた構造を有することを特徴とするホットウォーマー保存用合成樹脂製壜体成形用プリフォームを要旨とする。
【００１５】
このプリフォームによれば、請求項１に記載のホットウォーマー保存用合成樹脂製壜体を製造することができる。
【００１６】
請求項４に記載のプリフォームにおいて、開放端部の天面は外周側に対して内周側が低い段差構造を備えることができる。このプリフォームによって口端部の天面がキャップのコンタクトリングにより強く密着し、口端部が容易に内方へ倒れることを防止したホットウォーマー保存用合成樹脂製壜体を製造することができる。
【００１７】
請求項４に記載のプリフォームにおいて、筒壁の内周に、ホットウォーマー保存用合成樹脂製壜体の口端部の、キャップのインナーリングによりシールされるシール面に対応する領域付近に開放端部の天面に向けて傾斜した傾斜部を設けることができる。このプリフォームによって、口端部が内方へ変形しても傾斜部がキャップのインナーリングに密着し、それによって密着面積の減少を防止したホットウォーマー保存用合成樹脂製壜体を製造することができる。
【発明の効果】
【００１８】
本発明のホットウォーマー保存用合成樹脂製壜体の口端部は、筒壁とその外周に設けられた螺子山を備え、筒壁は、キャップのアウターリングに押しつけられる筒壁上端外周面を他の筒壁外周面よりも半径方向に突出させた構造を有し、全体を熱結晶化により白化させたことを特徴とするもので、キャップのアウターリングに押しつけられる筒壁上端外周面を他の筒壁外周面よりも半径方向に突出させた構造を備えるので、この構造部分によってアウターリングを強く押圧することによって予めアウターリングとの密着度が高めることができ、長時間適度のシール性を維持できるホットウォーマー保存用合成樹脂性壜体を提供することができる。また、本発明のプリフォームを用い、ブロー成形することにより、長時間適度のシール性を維持できるホットウォーマー保存用合成樹脂性壜体を製造することができる。
【発明を実施するための最良の形態】
【００１９】
次に図面を用いて本発明のホットウォーマー保存用合成樹脂製壜体の口端部について説明する。
【００２０】
図１は、本発明のホットウォーマー保存用合成樹脂製壜体の口端部の一部断面図を示す。図２は図１の円Ａでかこった部分の拡大断面図である。図３は図１に示す口端部にキャップを冠着した状態を示す断面図である。
【００２１】
本発明のホットウォーマー保存用合成樹脂製壜体の口端部１は、筒壁２とその外周に設けられた螺子山３を備え、筒壁２は、キャップのアウターリングに押しつけられる筒壁上端外周面４を他の筒壁外周面よりも半径方向に突出させた構造を有し、全体を熱結晶化により白化させたものである。前記構造部分は口端部の天面から２ｍｍ以下の領域に形成されており、この構造部分とそれに連続する筒壁２の間には段差ａがある。
【００２２】
また、口端部１の天面は外周側５ａに対して内周側５ｂが低く、両者間には段差が存在する。
【００２３】
さらに、口端部１の内周面にインナーリングによりシールされるシール面付近に口端部１の天面に向けて傾斜した傾斜部６が設けられている。この傾斜部の筒壁内周面に対する傾斜度γ°は２〜１８°であり、傾斜部は天面の内周側５ｂに曲面を介して移行している。この傾斜部は天面の内周側５ｂから４ｍｍ以下の領域に形成されている。
【００２４】
図３は、図１に示す口端部１にキャップ７を冠着した状態を示す。キャップ７のアウターリング８に押しつけられる筒壁上端周面４が他の筒壁外周面よりも半径方向に突出しているので、筒壁上端外周面４によって強く押されて予めアウターリング８との密着度が高められており、そのため筒壁２の内方への変形が起きても筒壁上端外周面４によって外方へ押されていたアウターリング８は前記構造部分に追随して変形し両者間の密着性は保持される。
【００２５】
また、口端部の天面の外周側５ａはコンタクトリング９により強く密着し、それによって口端部１の上端が容易に内方へ倒れることが阻止されている。
【００２６】
また、インナーリング１０によりシールされるシール面付近に口端部１の天面に向けて傾斜した傾斜部６が存在することにより、口端部１が内方へ変形しても傾斜部６がインナーリング１０に密着し、それによって密着面積が減少することが防止される。
【００２７】
本発明の口端部を備えるホットウォーマー保存用合成樹脂製壜体は、ポリエチレンテレフタレート、ポリプロピレン、ポリカーボネート等を用いてブロー成形してなるもので、特にポリエチレンテレフタレートは、水蒸気、酸素、香臭気、紫外線等の透過防止性に優れるので好適である。またブロー金型内にインモールドラベル成形用ラベルを取付け、インモールドラベル成形し、壜体の外側にインモールドラベルを有する壜体としてもよい。
【００２８】
図４は本発明のホットウォーマー保存用合成樹脂製壜体成形用のプリフォームの一部を示す。本発明のプリフォーム１１は、有底の円筒として成形されたものであり、壜体口部を形成する開放端部は筒壁１２とその外周に設けられた螺子山１３を含み、筒壁１２は、キャップのアウターリングに押しつけられる、ホットウォーマー保存用合成樹脂製壜体の口端部の筒壁上端周面に対応する筒壁上端外周面１４を他の筒壁外周面よりも半径方向に突出させた構造を有し、全体を熱結晶化により白化させたものである。前記構造部分はプリフォーム１１の天面から２ｍｍ以下の領域に形成されており、この構造部分とそれに連続する筒壁１２の間には段差がある。このプリフォーム１１によれば、キャップのアウターリングに押しつけられる筒壁上端外周面を他の筒壁外周面よりも半径方向に突出させた構造を備え、この構造部分によって強く押されて予めアウターリングとの密着度が高めることができ、そのため筒壁２の内方への変形が起きても筒壁上端外周面１４によって外方へ押されていたアウターリング８は前記構造部分に追随して変形し両者間の密着性は保持される口端部を備えるホットウォーマー保存用合成樹脂製壜体を製造することができる。
【００２９】
また、プリフォーム１１の天面は外周側１５ａに対して内周側１５ｂが低く、両者間には段差が存在する。この段差が存在することによって、口端部の天面がキャップのコンタクトリングにより強く密着し、口端部が容易に内方へ倒れることを防止したホットウォーマー保存用合成樹脂製壜体を製造することができる。
【００３０】
さらに、プリフォーム１１の内周面にホットウォーマー保存用合成樹脂製壜体の口端部の、キャップのインナーリングによりシールされるシール面に対応する領域付近にプリフォーム１１の天面に向けて傾斜した傾斜部１６が設けられている。この傾斜部１６の筒壁内周面に対する傾斜度γ°は２〜１８°であり、傾斜部１６は天面の内周側５ｂに曲面を介して移行している。この傾斜部１６は天面の内周側１５ｂから４ｍｍ以下の領域に形成されている。このプリフォーム１１によれば、口端部は傾斜部を備え、口端部が内方へ変形しても傾斜部がキャップのインナーリングに密着し、それによって密着面積の減少を防止されるホットウォーマー保存用合成樹脂製壜体を製造することができる。
【００３１】
プリフォーム１１の成形材料として、ポリエチレンテレフタレート、ポリエチレン、ポリプロピレン、ポリカーボネート等を適用することができる。
【産業上の利用可能性】
【００３２】
ホットウォーマー中に口端部の上端がクリープ現象を起こし、そのため、口端部のアウターリングへの密着性が低下することを防止しているため、例えば包装用壜体、特にホットウォーマー保存用合成樹脂製壜体等、その他等の種々の用途に適用し得るものである。
【図面の簡単な説明】
【００３３】
【図１】本発明のホットウォーマー保存用合成樹脂製壜体の口端部の一部断面図である。
【図２】図１の円Ａでかこった部分の拡大断面図である。
【図３】図１に示す口端部にキャップを冠着した状態を示す断面図である。
【図４】本発明のホットウォーマー保存用合成樹脂性壜体成形用プリフォームの一部断面図である。
【符号の説明】
【００３４】
１      口端部
２      筒壁
３      螺子山
４      筒壁上端外周面
５ａ    天面の外周側
５ｂ    天面の内周側
６      傾斜部
７      キャップ
８      アウターリング
９      コンタクトリング
１０    インナーリング
１１    プリフォーム
１２    筒壁
１３    螺子山
１４    筒壁上端外周面
１５    傾斜部
【図１】
2005088954.tif 000003
【図２】
2005088954.tif 000004
【図３】
2005088954.tif 000005
【図４】
2005088954.tif 000006